(57)【要約】【課題】  画像を無電源状態で表示保持する表示部を有する電子ペーパに、表示した画像を再利用できるようにする。【解決手段】  ドキュメントデータから生成して電子ペーパに表示した表示用画像を当該ドキュメントデータ又は当該電子ペーパの少なくともいずれか一方に関連付けて画像ログ保持手段４３に蓄積保持しておき、情報処理装置４１が備える出力手段５８により画面表示出力や印刷出力等を行う。また、出力手段５８は情報処理装置４１が備える画像生成手段５７に表示用画像を提供する機能を有しており、画像生成手段５７は提供された表示用画像を用いて新たな表示用画像を生成し、情報処理装置４１に付設された電子ペーパプリンタ４２によって当該新たな表示用画像を電子ペーパＥＰの表示部２に書き込む。【選択図】  図１
2007192862.tif 000002
【特許請求の範囲】
【請求項１】
画像を無電源状態で表示保持する表示部を有する電子ペーパを用いた電子ペーパシステムであって、
ドキュメントデータから生成して電子ペーパの表示部に表示した表示用画像を当該ドキュメントデータ又は当該電子ペーパの少なくともいずれか一方に関連付けて蓄積保持する画像ログ保持手段と、
前記画像ログ保持手段に蓄積保持された表示用画像を出力する出力手段と、
を備えることを特徴とする電子ペーパシステム。
【請求項２】
請求項１に記載の電子ペーパシステムにおいて、
前記出力手段は、処理対象のドキュメントデータ又は処理対象の電子ペーパの少なくともいずれか一方に関連付けられた表示用画像を出力し、
前記電子ペーパシステムは、
出力された表示用画像を用いて新たな表示用画像を生成する画像生成手段と、
生成された新たな表示用画像を処理対象の電子ペーパに書き込んで表示させる画像書込手段と、
を備えることを特徴とする電子ペーパシステム。
【請求項３】
請求項２に記載の電子ペーパシステムにおいて、
前記電子ペーパは、当該電子ペーパをドキュメントデータに関連付けるための関連付け情報又は当該電子ペーパの識別情報の少なくともいずれか一方の情報を記憶保持する記憶部を有しており、
前記電子ペーパシステムは、前記記憶部から読み取った情報に基づいて、処理対象のドキュメントデータ又は処理対象の電子ペーパの少なくともいずれか一方に関連付けられた表示用画像を特定する特定手段を備え、
前記出力手段は、特定された表示用画像を出力することを特徴とする電子ペーパシステム。
【請求項４】
請求項２又は請求項３に記載の電子ペーパシステムにおいて、
前記画像ログ保持手段は、ドキュメントデータに関連付けて表示用画像を蓄積保持しており、
前記出力手段は、処理対象のドキュメントデータに関連付けられた表示用画像を出力し、
前記新たな表示用画像は、処理対象のドキュメントデータから生成する縮小画像と出力された表示用画像の縮小画像とを対比した画像であることを特徴とする電子ペーパシステム。
【請求項５】
請求項２又は請求項３に記載の電子ペーパシステムにおいて、
前記画像ログ保持手段は、ドキュメントデータに関連付けて表示用画像を蓄積保持しており、
前記出力手段は、処理対象のドキュメントデータに関連付けられた表示用画像を出力し、
前記新たな表示用画像は、処理対象のドキュメントデータの状態を説明する画像と出力された表示用画像の縮小画像とを合成した画像であることを特徴とする電子ペーパシステム。
【請求項６】
ネットワークを介して接続された情報処理装置とドキュメント管理装置とログ管理装置とを備え、前記ドキュメント管理装置に格納されたドキュメントデータから前記情報処理装置が表示用画像を生成して、画像を無電源状態で表示保持する表示部を有する電子ペーパに前記表示用画像を表示させる電子ペーパシステムであって、
前記ログ管理装置が、
ドキュメントデータから生成して電子ペーパに表示した表示用画像を当該ドキュメントデータ又は当該電子ペーパの少なくともいずれか一方に関連付けて蓄積保持する画像ログ保持手段を備え、
前記情報処理装置が、
処理対象のドキュメントデータ又は処理対象の電子ペーパの少なくともいずれか一方に関連付けられた表示用画像を前記画像ログ保持手段から取得して出力する出力手段と、
出力された表示用画像を用いて新たな表示用画像を生成する画像生成手段と、
生成された新たな表示用画像を処理対象の電子ペーパに書き込んで表示させる画像書込手段と、
を備えることを特徴とする電子ペーパシステム。
【請求項７】
ネットワークを介して接続された情報処理装置とドキュメント管理装置とを備え、前記ドキュメント管理装置に格納されたドキュメントデータから前記情報処理装置が表示用画像を生成して、画像を無電源状態で表示保持する表示部を有する電子ペーパに前記表示用画像を表示させる電子ペーパシステムであって、
前記ドキュメント管理装置が、
自装置で管理するドキュメントデータから生成して電子ペーパに表示した表示用画像を当該ドキュメントデータ又は当該電子ペーパの少なくともいずれか一方に関連付けて蓄積保持する画像ログ保持手段を備え、
前記情報処理装置が、
処理対象のドキュメントデータ又は処理対象の電子ペーパの少なくともいずれか一方に関連付けられた表示用画像を前記画像ログ保持手段から取得して出力する出力手段と、
出力された表示用画像を用いて新たな表示用画像を生成する画像生成手段と、
生成された新たな表示用画像を処理対象の電子ペーパに書き込んで表示させる画像書込手段と、
を備えることを特徴とする電子ペーパシステム。
【請求項８】
ネットワークを介して接続された情報処理装置とドキュメント管理装置とを備え、前記ドキュメント管理装置に格納されたドキュメントデータから前記情報処理装置が表示用画像を生成して、画像を無電源状態で表示保持する表示部を有する電子ペーパに前記表示用画像を表示させる電子ペーパシステムであって、
前記情報処理装置が、
ドキュメントデータから生成して電子ペーパに表示した表示用画像を当該ドキュメントデータ又は当該電子ペーパの少なくともいずれか一方に関連付けて蓄積保持する画像ログ保持手段と、
処理対象のドキュメントデータ又は処理対象の電子ペーパの少なくともいずれか一方に関連付けられた表示用画像を前記画像ログ保持手段から取得して出力する出力手段と、
出力された表示用画像を用いて新たな表示用画像を生成する画像生成手段と、
生成された新たな表示用画像を処理対象の電子ペーパに書き込んで表示させる画像書込手段と、
を備えることを特徴とする電子ペーパシステム。
【請求項９】
ドキュメントデータから生成する表示用画像を無電源状態で表示保持する表示部を有する電子ペーパを用いた電子ペーパシステムを構成するログ管理装置であって、
処理対象のドキュメントデータ又は処理対象の電子ペーパの少なくともいずれか一方に関連付けられた表示用画像を出力するために、当該表示用画像を当該ドキュメントデータ又は当該電子ペーパの少なくともいずれか一方に関連付けて蓄積保持する画像ログ保持手段を備えることを特徴とするログ管理装置。
【請求項１０】
ドキュメントデータから生成された表示用画像を無電源状態で表示保持する表示部を有する電子ペーパを用いた電子ペーパシステムを構成する情報処理装置であって、
前記電子ペーパシステムは、ドキュメントデータから生成して電子ペーパに表示した表示用画像を当該ドキュメントデータ又は当該電子ペーパの少なくともいずれか一方に関連付けて蓄積保持しており、
前記情報処理装置は、
前記蓄積保持された表示用画像から、処理対象のドキュメントデータ又は処理対象の電子ペーパの少なくともいずれか一方に関連付けられた表示用画像を取得して出力する出力手段と、
出力された表示用画像を用いて新たな表示用画像を生成する画像生成手段と、
生成された新たな表示用画像を処理対象の電子ペーパに書き込んで表示させる画像書込手段と、
を備えることを特徴とする情報処理装置。
【請求項１１】
ドキュメントデータから生成する表示用画像を無電源状態で表示保持する表示部を有する電子ペーパを用いた電子ペーパシステムを構成するログ管理装置を、コンピュータに実行させることにより構成するプログラムであって、
処理対象のドキュメントデータ又は処理対象の電子ペーパの少なくともいずれか一方に関連付けられた表示用画像を出力するために、当該表示用画像を当該ドキュメントデータ又は当該電子ペーパの少なくともいずれか一方に関連付けて蓄積保持する画像ログ保持機能をコンピュータに実行させることにより構成するログ管理装置のプログラム。
【請求項１２】
ドキュメントデータから生成された表示用画像を無電源状態で表示保持する表示部を有する電子ペーパを用いた電子ペーパシステムを構成する情報処理装置を、コンピュータに実行させることにより構成するプログラムであって、
前記電子ペーパシステムは、ドキュメントデータから生成して電子ペーパに表示した表示用画像を当該ドキュメントデータ又は当該電子ペーパの少なくともいずれか一方に関連付けて蓄積保持しており、
前記情報処理装置のプログラムは、
前記蓄積保持された表示用画像から、処理対象のドキュメントデータ又は処理対象の電子ペーパの少なくともいずれか一方に関連付けられた表示用画像を取得して出力する出力機能と、
出力された表示用画像を用いて新たな表示用画像を生成する画像生成機能と、
生成された新たな表示用画像を処理対象の電子ペーパに書き込んで表示させる画像書込機能と、
をコンピュータに実行させることにより構成する情報処理装置のプログラム。
【請求項１３】
ドキュメントデータから生成する表示用画像を無電源状態で表示保持する表示部を有する電子ペーパを用いた電子ペーパシステムにより実施される方法であって、
前記電子ペーパシステムは、画像ログ保持手段と、出力手段と、画像生成手段と、画像書込手段と、を備え、
前記画像ログ保持手段は、ドキュメントデータから生成して電子ペーパに表示した表示用画像を当該ドキュメントデータ又は当該電子ペーパの少なくともいずれか一方に関連付けて蓄積保持しており、
前記出力手段が、処理対象のドキュメントデータ又は処理対象の電子ペーパの少なくともいずれか一方に関連付けられた表示用画像を前記画像ログ保持手段から取得して出力し、
前記画像生成手段が、出力された表示用画像を用いて新たな表示用画像を生成し、
前記画像書込手段が、生成された新たな表示用画像を処理対象の電子ペーパに書き込んで表示させることを特徴とする電子ペーパシステムの画像処理方法。
【発明の詳細な説明】
【技術分野】
【０００１】
本発明は、表示部に画像を無電源状態で表示保持する電子ペーパを利用する技術に関し、特に、電子ペーパに書き込んだ表示用画像を蓄積保持する技術に関する。
【背景技術】
【０００２】
コンピュータを利用して、画像やテキスト等の様々なメディアの電子データを扱って、ドキュメントの作成、編集、閲覧等がなされている。
このような電子データドキュメントの閲覧方法は、一般的に、コンピュータのディスプレイ画面にドキュメントの画像を表示する、或いは、プリンタによりドキュメントの画像を紙媒体である用紙に印刷することにより行われている。
【０００３】
近年では、用紙にとって代わることが可能なドキュメント閲覧のための媒体として、用紙の如く柔軟な薄型で画像を無電源状態で表示保持することができる電子ペーパが開発されている。
電子ペーパは、無電源状態で情報画像を表示保持する表示部を有した装置であり、その表示部への情報画像の書き込み形式で大別すると、電子データに基づいて自己で画像を表示部に書き込みする機能を有する自己書き込み型電子ペーパと、投影転写や熱転写等で書き込まれる画像を表示部に保持する転写書き込み型電子ペーパとがある。
【０００４】
このような電子ペーパは、用紙と異なって表示部に表示保持した画像を消去したり上書きすることが可能であり、繰り返し使用することができることから紙資源の節約等の観点からも利用促進が望まれている。
【発明の開示】
【発明が解決しようとする課題】
【０００５】
電子ペーパは、画像が書き換え可能なため繰り返し使用できる反面、画像を書き換えることによって過去に書き込んだ画像が失われてしまうため、例えば、用紙に印刷出力した場合のように過去に印刷した内容を後で確認するということは、電子ペーパでは行うことが出来なかった。
【０００６】
本発明は、上記従来の事情に鑑みなされたものであり、電子ペーパに表示した画像を後で確認したり再利用したりできるようにすることを目的としている。
【課題を解決するための手段】
【０００７】
本発明は、画像を無電源状態で表示保持する表示部を有する電子ペーパを用いた電子ペーパシステムであって、ドキュメントデータから生成して電子ペーパに表示した表示用画像を当該ドキュメントデータ又は当該電子ペーパの少なくともいずれか一方に関連付けて蓄積保持する画像ログ保持手段と、蓄積保持された表示用画像を出力する出力手段と、を備えている。
【０００８】
したがって、ドキュメントデータから過去に生成した表示用画像をディスプレイに表示出力したり用紙に印字出力したりすることで、ユーザは、該当する過去時点のドキュメントデータに基づいて生成した表示用画像を確認できる。また、電子ペーパに過去に書き込んだ表示用画像をディスプレイに表示出力したり用紙に印字出力したりすることで、ユーザは、該当する電子ペーパに過去に表示した表示用画像を確認できる。すなわち、紙媒体に印刷出力した場合と同様に、過去の表示用画像を遡って確認できる。
【０００９】
そして、例えば、ドキュメントデータへの操作（例えば、新規作成、編集、消去、表示出力、印字出力等）を示す操作名、操作に用いた情報処理装置の名称、操作日時、等の付加情報の画像を含めた表示用画像を生成して蓄積しておくことで、いつ、どの情報処理装置を用いて、どのドキュメントデータに対して、どのような操作を行ったか、といった過去になされた作業内容を確認することができる。
【００１０】
また、例えば、表示用画像の生成日時を当該表示用画像に対応付けて蓄積しておき、所望のドキュメントデータに係る表示用画像を生成日時順に並べて一覧出力することで当該ドキュメントデータを用いてなされた作業の経緯を把握することができ、また、例えば、表示用画像の電子ペーパへの書込日時を当該表示用画像に対応付けて蓄積しておき、所望の電子ペーパに係る表示用画像を書込日時順に並べて一覧出力することで当該電子ペーパを用いてなされた作業の経緯を把握することができる。
【００１１】
また、本発明の電子ペーパシステムは、蓄積保持しておいた表示用画像を新たな表示用画像の生成に利用することができる。
すなわち、出力手段が、処理対象のドキュメントデータ又は処理対象の電子ペーパの少なくともいずれか一方に関連付けられた表示用画像を新たな表示用画像の生成のために電子データとして出力し、電子ペーパシステムが、出力された表示用画像を用いて新たな表示用画像を生成する画像生成手段と、生成された新たな表示用画像を処理対象の電子ペーパに書き込んで表示させる画像書込手段とを更に備える。
【００１２】
したがって、ユーザは電子ペーパを見て、処理対象のドキュメントデータから過去に生成された表示用画像や、処理対象の電子ペーパに過去に表示された表示用画像の内容を確認でき、表示用画像中に上述したような付加情報を含めることで作業内容の確認も行える。また、該当する過去の表示用画像を一覧表示させて、ドキュメントデータを用いて行った作業の経緯や、電子ペーパを用いて行った作業の経緯を、電子ペーパを見て把握できるようにしてもよい。
【００１３】
過去の表示用画像を用いて新たな表示用画像を生成する場合には、その画像を縮小して用いることが好ましく、このような縮小画像を用いることで、例えば、カードサイズの電子ペーパのように表示可能な画像サイズが限られている場合でも、その限られた画像サイズ内で他の情報を併せて表示することができる。
なお、縮小画像は、電子ペーパの表示部にほぼいっぱいに表示される表示用画像が通常のサイズであるのに対して、当該通常サイズより小さくした画像であり、その縮小度は必要に応じて任意である。
【００１４】
新たな表示用画像としては、例えば、画像ログ保持手段がドキュメントデータに関連付けて表示用画像を蓄積保持している場合には、処理対象のドキュメントデータから生成する縮小画像と、電子データとして出力された当該ドキュメントデータから過去（例えば、ドキュメント登録時、前回のドキュメント修正時等）に生成した表示用画像の縮小画像と、を対比した画像を新たな表示用画像としたり、処理対象のドキュメントデータの状態（例えば「修正あり」「消去済み」等）を説明する画像と、電子データとして出力された当該ドキュメントデータから過去に生成した表示用画像の縮小画像と、を合成した画像を新たな表示用画像とすることができる。
【００１５】
また、例えば、新たな表示用画像の生成においてドキュメントデータが前回の表示用画像生成時から変更されていない場合には、新たな表示用画像は前回生成した表示用画像と同じでよいため、前回生成して画像ログ保持手段に蓄積保持させておいた表示用画像をそのまま用いることで、画像生成処理に要する時間を短縮できる。
【００１６】
また、処理対象のドキュメントデータ及び処理対象の電子ペーパは、キーボードやマウス等の入力機器により指定入力させる機能をシステムに設けてユーザに入力させることができるが、表示用画像を電子ペーパに書き込む度に入力させるのはユーザにとって負担であるため、電子ペーパにデータの記憶機能を設けて電子ペーパに保持できるようにすることが好ましい。
【００１７】
すなわち、電子ペーパに、当該電子ペーパをドキュメントデータに関連付けるための関連付け情報（例えば、ドキュメントデータの格納先ＵＲＬ、ドキュメントＩＤ）又は当該電子ペーパの識別情報（例えば、電子ペーパＩＤ）の少なくともいずれか一方の情報を記憶保持する記憶部を設け、電子ペーパシステムが、電子ペーパの記憶部から読み取った情報に基づいて、処理対象のドキュメントデータ又は処理対象の電子ペーパの少なくともいずれか一方に関連付けられた表示用画像を特定する特定手段を更に備え、特定された表示用画像を出力手段により出力させるようにして、当該表示用画像を用いて新たな表示用画像を生成して電子ペーパに書き込み表示させる。
これにより、電子ペーパの記憶部にアクセスすることで新たな表示用画像の生成に用いることができる過去の表示用画像を特定でき、ユーザに毎回指定させる必要がなくなるためユーザ負担が軽減される。
【００１８】
本発明の電子ペーパシステムは、種々な構成により実現することができる。
例えば、情報処理装置とドキュメント管理装置とログ管理装置とを用いてシステムを構成し、ログ管理装置が、ドキュメント管理装置で管理するドキュメントデータから生成して電子ペーパに表示した表示用画像を当該ドキュメントデータ又は当該電子ペーパの少なくともいずれか一方に関連付けて蓄積保持する画像ログ保持手段を備え、情報処理装置が、処理対象のドキュメントデータ又は処理対象の電子ペーパの少なくともいずれか一方に関連付けられた表示用画像を画像ログ保持手段から取得して出力する出力手段と、出力された表示用画像を用いて新たな表示用画像を生成する画像生成手段と、生成された新たな表示用画像を処理対象の電子ペーパに書き込んで表示させる画像書込手段と、を備える。
【００１９】
また、例えば、情報処理装置とドキュメント管理装置とを用いてシステムを構成し、ドキュメント管理装置が、自装置で管理するドキュメントデータから生成して電子ペーパに表示した表示用画像を当該ドキュメントデータ又は当該電子ペーパの少なくともいずれか一方に関連付けて蓄積保持する画像ログ保持手段を備え、情報処理装置が、処理対象のドキュメントデータ又は処理対象の電子ペーパの少なくともいずれか一方に関連付けられた表示用画像を画像ログ保持手段から取得して出力する出力手段と、出力された表示用画像を用いて新たな表示用画像を生成する画像生成手段と、生成された新たな表示用画像を処理対象の電子ペーパに書き込んで表示させる画像書込手段と、を備える。
【００２０】
また、例えば、情報処理装置とドキュメント管理装置とを用いてシステムを構成し、情報処理装置が、ドキュメント管理装置で管理するドキュメントデータから生成して電子ペーパに表示した表示用画像を当該ドキュメントデータ又は当該電子ペーパの少なくともいずれか一方に関連付けて蓄積保持する画像ログ保持手段と、処理対象のドキュメントデータ又は処理対象の電子ペーパの少なくともいずれか一方に関連付けられた表示用画像を画像ログ保持手段から取得して出力する出力手段と、出力された表示用画像を用いて新たな表示用画像を生成する画像生成手段と、生成された新たな表示用画像を処理対象の電子ペーパに書き込んで表示させる画像書込手段と、を備える。
【００２１】
上記例示した各システム構成では、情報処理装置が表示用画像を生成して電子ペーパへ書き込んでいるが、情報処理装置は表示用画像を生成して当該情報処理装置に付設される電子ペーパプリンタに提供し、当該電子ペーパプリンタが受け取った表示用画像を電子ペーパへ書き込む構成としてもよい。
【００２２】
また、本発明は、上記のような電子ペーパシステムとして実現する他、電子ペーパシステムを構成する情報処理装置、当該情報処理装置をコンピュータに実行させることにより構成するプログラム、電子ペーパシステムを構成するログ管理装置、当該ログ管理装置をコンピュータに実行させることにより構成するプログラム、電子ペーパシステムにより実施される方法としても実現することができる。
【発明の効果】
【００２３】
本発明によると、ドキュメントデータから生成して電子ペーパに表示した表示用画像を蓄積して出力できるようにしたため、電子ペーパの画像を書き換えた後であっても、ユーザは書き換え前に表示されていた表示用画像を出力することで過去の表示内容を把握することができ、過去に行った作業を確認できる。
また、蓄積しておいた表示用画像を用いて新たな表示用画像を生成できるため、ユーザは電子ペーパを見て過去に行った作業を確認できる。
【発明を実施するための最良の形態】
【００２４】
本発明を実施例に基づいて具体的に説明する。
まず、本発明に使用することができる電子ペーパについて、図１５〜図２１を参照して具体的に説明する。
電子ペーパＥＰには、表示保持する画像の記録方式で、例えば、図１５〜図１８に示す外部書き込み型と、図１９〜図２１に示す自己書き換え型があり、いずれの形式にあっても電子ペーパと称せられるように紙の様に薄型の情報記録保持装置である。
【００２５】
図１５（ａ）には、外部書き込み型の一例としての光書き込み型電子ペーパＥＰを正面視して示し、同図（ｂ）には当該光書き込み型電子ペーパＥＰを側面視で示してある。なお、図示の電子ペーパＥＰは画像を無電源状態で表示保持する表示部２とドキュメントデータのＵＲＬ等といった電子データの処理を司る処理部３とを有しており、同図（ａ）には処理部３に内蔵されている諸機能部も表してある。
光書き込み型電子ペーパＥＰは、例えば、ＪＩＳ規格で規定されるカードやＡ４版の用紙のような大きさのフレキシブルな薄型であり、大部分の面積を占める表示部２の一片に処理部３が設けられている。なお、表示部２の大きさは任意であり、後述するようにタグやカードとして用いる場合には、用途に応じた大きさのものとされる。
【００２６】
処理部３には、後述するように表示部２を駆動する電圧を印加するための書き込み用電極４、外部と無線通信するための無線部５、電子データを読み書き自在に保持するメモリ６、メモリ６へのアクセス等の処理を行うプロセッサ７、プロセッサ７や無線部５等の駆動電力を供給するバッテリ８が設けられている。
光書き込み型電子ペーパＥＰは、外部の無線装置（後述する例では、電子ペーパプリンタ）と無線部５で無線通信することにより電子データを送受信し、また、これら電子データをメモリ６に保持することができる。
なお、図示の例では、比較的高級なデータ処理機能を有する処理部３を示したが、データを無線通信する機能とデータを記憶する機能とを比較的簡単な構成で備えた公知のＲＦＩＤを処理部３として用いるようにしてもよい。
【００２７】
光書き込み型電子ペーパＥＰは、例えば、図１６に示すように液晶パネル９に書き込もうとする画像を表示し、電極４に外部電源から電圧を印加しながら光書き込み型電子ペーパＥＰを液晶パネル９に重ねて光を照射することにより、液晶パネル９に表示させた画像を表示部２に転写して記憶させることができる。要は、光書き込み型電子ペーパＥＰは電極４に電圧を印加することで投影された画像を表示部２に転写し、電極４に印加した電圧を除去した後も当該画像を表示状態で保持し続ける機能を有している。
なお、このような光書き込み型電子ペーパＥＰを用いる場合には、後述する電子ペーパプリンタは、電極４への電圧印加部、液晶パネル９、光照射部といった光書き込みに必要な手段を備えている。例えば、このような電子ペーパプリンタとして、特開２００４−１０６４９５号公報に記載されるプリンタを用いることができる。
【００２８】
光書き込み型電子ペーパＥＰは、表示部２の断面構造を表す図１８に示すように、複写機に利用されている有機光導電性材料の層（有機光導電層）１０と液晶表示材料の層（マイクロカプセル化したコレステリック液晶層）１１とを組み合わせ、これら層を表裏一対の透明電極１２で挟み、この積層体を表裏一対の透明な基材フィルム１３で挟んだ構造となっている。なお、この構成では、コレステリック液晶層１１が光を反射する白表示と、光が液晶層１１を透過しコレステリック液晶層１１と有機光導電層１０との間に設けられた黒色層１４で吸収される黒表示のモノクロ画像表示が可能である。さらにコレステリック液晶には螺旋ピッチに応じたカラー光を干渉反射するという特性があるので、コレステリック液晶層１１を螺旋ピッチの異なる液晶を積層した構成にすることにより、簡単な構造でカラー表示を実現することも可能である。
【００２９】
そして、光書き込み型電子ペーパＥＰは、表示部２の動作原理を表す図１７に示すように、例えば画像書込み用の調光素子パネル（発光パネル）９に転写する画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパＥＰは書き込みと消去を繰り返して幾度も再使用することができる。
なお、光書き込み型電子ペーパＥＰはこのような消去処理を行わずに、上記のように電極４に電圧を印加して新たな画像を投影することにより、表示部２に保持されている画像情報を上書きすることもでき、このような上書き処理によっても幾度も再使用することができる。
【００３０】
また、外部書き込み型電子ペーパの他の例として、表示部２を公知のように感熱記録構造として、電子ペーパプリンタに備えられた感熱記録ヘッドによって画像を表示部２に熱記録して表示保持させるものもある。
なお、後述する実施例のシステムでは、このような感熱記録型電子ペーパをＪＩＳ規格のカードサイズとして構成し、処理部３としてＲＦＩＤを備えたカード型電子ペーパＥＰを用いている。
【００３１】
図１９（ａ）には自己書き込み型電子ペーパＥＰを正面視して示し、同図（ｂ）には当該自己書き込み型電子ペーパＥＰを側面視で示してある。図示の電子ペーパＥＰは画像を表示保持する表示部２２と電子データの処理を司る処理部２３とを有しており、同図（ａ）には処理部２３に内蔵されている諸機能部も表してある。
自己書き換え型電子ペーパＥＰは、例えば上記と同様にＪＩＳ規格カードのような大きさのフレキシブルな薄型表示記録装置であり、大部分の面積を占める表示部２２の一片に処理部２３が設けられている。なお、表示部２２の大きさは用途に応じた大きさのものとされる。また、表示部２２と処理部２３とを着脱可能として、例えばクリップ形式の処理部２３を表示部２２に装着して接続することにより電子ペーパＥＰを構成するようにしてもよい。
【００３２】
処理部２３には、後述するように表示部２２を駆動するドライバ２４、電子ペーパプリンタ等の外部と無線通信するための無線部２５、電子データを読み書き自在に保持するメモリ２６、電子データの処理を行うプロセッサ２７、プロセッサ２７等の機能手段に動作電力を供給するバッテリ２８が設けられている。
【００３３】
このような自己書き込み型電子ペーパＥＰは、外部の無線装置（電子ペーパプリンタ等）と無線部２５で無線通信することにより表示画像の電子データを送受信し、メモリ２６に保持することができる。
そして、自己書き込み型電子ペーパＥＰは、プロセッサ２７の制御の下にドライバ２４を駆動して、メモリ２６に保持した電子データに基づいて表示部２２に表示保持する画像を書き換え表示することができ、ドライバ２４の駆動電力を除去しても表示部２２に画像を表示状態で保持し続ける機能を有している。
【００３４】
自己書き込み型電子ペーパＥＰは、表示部２２の断面構造を表す図２１に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００３５】
そして、自己書き込み型電子ペーパＥＰは、表示部２２の動作原理を表す図２０に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部２２を表面側から目視すると表示部２２は黒色な状態となる。そして、電子データに基づいてドライバ２４が動作して表示する画像に応じたマトリックスの所要部の電極極性を反転させると、白色粒子３１と黒色粒子３２との位置関係が入れ替わって、表示部２２に白色粒子３１と黒色粒子３２とのコントラストによる画像が表示される。なお、異なる電子データに基づいてドライバ２４を動作させることにより、白色粒子３１と黒色粒子３２とのコントラストにより表示部２２に表示される画像情報を切り換えることができ、幾度も再使用することができる。
【００３６】
図１には、本発明の一例に係る電子ペーパシステムの全体構成例を示してある。
本例のシステムは、ドキュメント管理サーバ（ドキュメント管理装置）４０と、情報処理装置４１と、ログ管理サーバ（ログ管理装置）４４をネットワークＮで接続し、各情報処理装置４１に電子ペーパプリンタ４２を付設した構成を有している。
【００３７】
ドキュメント管理サーバ４０は、ドキュメントデータをそれぞれＵＲＬで識別して格納するドキュメントデータベースを有しており、情報処理装置４１から受信したドキュメントデータを格納管理し、情報処理装置４１からの要求に応じて該当するドキュメントデータを当該情報処理装置４１に送信する。
【００３８】
情報処理装置４１として図示の例では、スキャナ機能、複写機能、ＦＡＸ機能等を複合的に備えた複合機（ＭＦ）と、パーソナルコンピュータ（ＰＣ）が用いられており、書き込み手段として各情報処理装置４１に付設されている電子ペーパプリンタ４２によって電子ペーパＥＰに表示用画像を書き込み、また、当該表示用画像をログ管理サーバ４４に送信して蓄積保持させている。
【００３９】
本例のシステムでは、転写書き込み型の電子ペーパ（カード）ＥＰを用いており、図５に示すように、電子ペーパカードＥＰに設けられたＲＦＩＤ３に、当該電子ペーパカードＥＰに予め設定されたＥＰＩＤ（電子ペーパの識別情報）と当該電子ペーパカードＥＰに関連付けられたドキュメントデータのＵＲＬ（ドキュメントデータの格納先情報）とを記憶している。
【００４０】
電子ペーパプリンタ４２は、装填された電子ペーパカードＥＰのＲＦＩＤ３からＥＰＩＤ及びＵＲＬを読み取って情報処理装置４１に提供し、情報処理装置４１により生成された表示用画像を受け取って電子ペーパカードの表示部２へ書き込み保持させる。また、表示用画像とともにＵＲＬを受け取ってＲＦＩＤ３に記憶保持させており、これにより、電子ペーパカードＥＰとドキュメントデータとの関係が更新される。
【００４１】
ログ管理サーバ４４は、ＵＲＬ及びＥＰＩＤに関連付けて表示用画像を蓄積保持する画像ログ保持手段４３を有しており、画像ログ保持手段４３は、情報処理装置４１から表示用画像とともにＵＲＬ及びＥＰＩＤを受信して、これらに関連付けて表示用画像を蓄積保持し、情報処理装置４１からの要求に応じて該当する表示用画像を情報処理装置４１に送信する。
【００４２】
なお、図１では、ログ管理サーバ４４に画像ログ保持手段４３を備えているが、図２に示すようにドキュメント管理サーバ４０に備えるようにしたり、或いは、図３に示すように各情報処理装置４１に備えるようにしてもよく、各情報処理装置４１が必要とする表示用画像を取得できるように設けられていればよい。
【００４３】
また、図３のように各情報処理装置４１が画像ログ保持手段４３を備える場合は、各情報処理装置４１は、自装置が生成した表示用画像をその生成に用いたドキュメントデータのＵＲＬ及び当該表示用画像を書き込んだ電子ペーパカードＥＰのＥＰＩＤに対応付けて画像ログ保持手段４３に蓄積保持するとともに、当該ＵＲＬ及びＥＰＩＤ及び表示用画像を他の情報処理装置４１へ送信し、また、他の情報処理装置４１から受信したＵＲＬ及びＥＰＩＤ及び表示用画像を画像ログ保持手段４３に蓄積保持することが好ましい。
これにより、各情報処理装置４１間で画像ログ保持手段４３の保持内容が同期されるため、或る情報処理装置４１で生成した表示用画像Ｇを他の情報処理装置４１で利用できるようになる。
【００４４】
本例の画像ログ保持手段４３は、図６（ａ）に示すような画像生成ログと、同図（ｂ）に示すような画像表示ログとを蓄積保持している。
画像生成ログは、表示用画像を特定する「画像ＩＤ」、当該表示用画像の生成に用いたドキュメントデータの格納先を示す「ＵＲＬ」、当該表示用画像の電子データである「表示用画像」、当該表示用画像の「生成日時」で構成されており、ドキュメントデータから表示用画像を生成する度に蓄積される。
【００４５】
画像生成ログは、電子ペーパカードＥＰを特定する「ＥＰＩＤ」、当該電子ペーパカードＥＰに表示した表示用画像を特定する「画像ＩＤ」、当該電子ペーパカードＥＰに書き込んだ「書込日時」で構成されており、電子ペーパカードＥＰに表示用画像を書き込む度に蓄積される。すなわち、例えば、表示用画像を生成せずに過去に他の電子ペーパカードＥＰに書き込んだ表示用画像をそのまま電子ペーパカードＥＰに書き込んだ場合でも、当該電子ペーパカードＥＰのＥＰＩＤと過去の表示用画像の画像ＩＤと書き込みした日時とが対応付けて蓄積される。
【００４６】
表示用画像の生成に用いたドキュメントデータと上記画像表示ログ及び画像生成ログは図７に示すような関連を有しており、ドキュメントデータ及び当該ドキュメントデータに係る属性情報（名称、作成日時、修正日時、作者名等）の格納先を示すＵＲＬによってドキュメントデータと画像生成ログとが関連付けられ、また、表示用画像を識別する画像ＩＤによって画像生成ログと画像書込ログとが関連付けられている。
したがって、或るドキュメントデータから生成した表示用画像を、当該ドキュメントデータのＵＲＬにより関連付けられた画像生成ログから取得できる。また、或る電子ペーパカードＥＰに書き込んだ表示用画像を、当該電子ペーパカードＥＰのＥＰＩＤに対応する画像書込ログ中の画像ＩＤにより関連付けられた画像生成ログから取得できる。
【００４７】
ここで、本発明を詳しく説明するに先だって、電子ペーパシステムの基本的な処理である電子ペーパカードＥＰを用いたドキュメントデータの格納処理や読み出し処理を説明する。
なお、図１〜図３に示すいずれのシステムにおいても同様であるので、図１に示すシステムを代表して上記処理例を説明する。
【００４８】
まず、格納処理では、複合機（ＭＦ）４１の電子ペーパプリンタ４２に電子ペーパカードＥＰを装填した状態で、ドキュメントを印刷したドキュメントペーパを複合機（ＭＦ）４１のスキャナで読み込ませる。複合機（ＭＦ）４１が、当該読み込んだドキュメントデータ及び当該ドキュメントの読み込み日時等の属性情報をネットワークＮを介してドキュメント管理サーバ４０に格納し、また、当該読み込んだドキュメントデータに基づいて表示用画像を生成し、電子ペーパプリンタ４２により、当該表示用画像を電子ペーパカードＥＰの表示部２に書き込み保持させるとともにドキュメント管理サーバ４０に格納したドキュメントデータのＵＲＬを当該電子ペーパカードＥＰのＲＦＩＤに送信して格納する。
【００４９】
これにより、電子ペーパプリンタ４２から排出された電子ペーパカードＥＰは、画像読込してドキュメント管理サーバ４０に格納したドキュメントデータの概要を示す表示用画像が表示保持されるとともに当該ドキュメントデータにアクセスするためのＵＲＬが記憶保持される。
したがって、ユーザは、電子ペーパカードＥＰに表示保持された表示用画像を見て所望のドキュメントを容易に探し出すことができ、例えば、当該電子ペーパカードＥＰをパーソナルコンピュータ（ＰＣ）４１の電子ペーパプリンタ４２にかけて、電子ペーパプリンタ４２のＲＦＩＤアクセス手段（所謂、リーダライタ）で電子ペーパカードＥＰのＲＦＩＤからＵＲＬを取得し、ＰＣ４１により、当該ＵＲＬでドキュメント管理サーバ４０にアクセスすることで、当該電子ペーパカードＥＰ（表示用画像）に対応付けられたドキュメントデータを読み出し取得して画面表示することができる。
【００５０】
また、ＰＣ４１の電子ペーパプリンタ４２に電子ペーパカードＥＰを装填した状態で、ＰＣ４１内に格納されているドキュメントデータを、例えば、画面上に表示したドキュメントデータアイコンを電子ペーパプリンタアイコン上にドラッグ・ドロップ操作して、当該ドキュメントデータに関する書き込み処理を行う。すなわち、ＰＣ４１が、当該ドキュメントデータ及びドキュメントデータの属性情報をネットワークＮを介してドキュメント管理サーバ４０に格納し、また、当該ドキュメントデータに基づいて表示用画像を生成し、電子ペーパプリンタ４２により、当該表示用画像を電子ペーパカードＥＰの表示部２に書き込み保持させるとともにドキュメント管理サーバ４０に格納したドキュメントデータのＵＲＬを当該電子ペーパカードのＲＦＩＤに送信して格納する。
【００５１】
これにより、上記と同様に、電子ペーパプリンタ４２から排出された電子ペーパカードＥＰは、ドキュメントデータの概要を示す表示用画像が表示保持されるとともに当該ドキュメントデータにアクセスするためのＵＲＬが記憶保持される。
そして、例えば、当該電子ペーパカードＥＰを、ＭＦ４１の電子ペーパプリンタ４２にかけて、電子ペーパプリンタ４２のＲＦＩＤアクセス手段で、或いは、ＭＦ４１がＲＦＩＤアクセス手段を備える場合にはそのＲＦＩＤアクセス手段で電子ペーパカードＥＰのＲＦＩＤからＵＲＬを取得し、ＭＦ４１により、当該ＵＲＬで対応するドキュメントデータを取得してドキュメントペーパを印刷出力することができる。
【００５２】
また、上記のように、ドキュメントデータから生成されて電子ペーパカードＥＰに表示された表示用画像は、ネットワークＮを介してログ管理サーバ４４に送信されて画像ログ保持手段４３に蓄積保持される。したがって、ユーザは、処理対象のドキュメントデータから過去に生成した表示用画像、或いは処理対象の電子ペーパカードＥＰに過去に書き込んだ表示用画像を画像ログ保持手段４３から取得して、画面出力や印刷出力等することで確認できるようになり、過去に行った作業を振り返ることができる。
【００５３】
図４には、上記の処理を実行するために情報処理装置４１と電子ペーパプリンタ４２に備えられる機能構成の一例を示してある。なお、図示の例では、情報処理装置４１として、複合機（ＭＦ）を示すが、パーソナルコンピュータ（ＰＣ）についても同様である。
また、本例の情報処理装置４１はコンピュータ装置であり、下記の各機能手段５１〜５８は当該コンピュータにより本発明に係るプログラムを実行することで構成されている。
【００５４】
情報処理装置（ＭＦ）４１は、スキャナ機能や通信機能といった複合機に必要な種々な入力機能を実現する入力手段５１、入力された画像情報等のデータを処理するために保持するメモリ５２、スキャナ読み取りしたドキュメントデータをドキュメント管理サーバ（ＤＳ）４０へ送信する等の通信を行う通信手段５３、電子ペーパプリンタ４２と接続するインタフェース（Ｉ／Ｏ）５４、ユーザに対する情報提示やユーザからの指示入力を受け付けるユーザインタフェース手段５５、電子ペーパプリンタ４２に装着された電子ペーパカードＥＰのＲＦＩＤに格納されたＵＲＬ及びＥＰＩＤに対応する過去の表示用画像を特定する特定手段５６、特定された表示用画像を画像ログ保持手段４３から取得して出力する出力手段５８、出力された表示用画像を用いて新たな表示用画像を生成する画像生成手段５７を有している。
【００５５】
電子ペーパプリンタ４２は、情報処理装置４１と接続するインタフェース（Ｉ／Ｏ）６１、電子ペーパカードＥＰの表示部２へ画像を転写書込みする書込手段６２、電子ペーパカードＥＰのＲＦＩＤ３と無線によりＥＰＩＤ及びＵＲＬ等のデータ通信を行う無線手段６３を有している。
なお、本例ではそれぞれで別個な装置である情報処理装置４１と電子ペーパプリンタ４２とを接続しているが、情報処理装置４１と電子ペーパプリンタ４２とを一体化した装置としてもよい。また、本例では情報処理装置４１が特定手段５６を備えているが、電子ペーパプリンタ４２或いはドキュメント管理サーバ（ＤＳ）４０が特定手段５６を備えるようにしてもよい。
【００５６】
情報処理装置４１の出力手段５８は、ユーザインタフェース５５から指示されたドキュメントデータ或いは電子ペーパカードＥＰに対応する過去の表示用画像を画像ログ保持手段４３から取得して情報処理装置４１の備える画面に表示出力しており、ユーザは過去の表示用画像を遡って確認できる。
また、対応する過去の表示用画像が複数ある場合には、これら複数の表示用画像を並べて一覧表示でき、ユーザは、ドキュメントデータから生成した過去の表示用画像を生成日時順に一覧表示させて当該ドキュメントデータを用いた作業の過程を確認し、また、電子ペーパカードＥＰが過去に表示した表示用画像を書込日時順に一覧表示させて当該電子ペーパカードＥＰを用いた作業の過程を確認することができる。
また、これら表示用画像は、例えば、ドキュメントデータへの操作（例えば、新規作成、編集、消去、表示出力、印字出力等）を示す操作名、操作に用いた情報処理装置４１の名称、操作日時、等の付加情報の画像を含んでおり、いつ、どの情報処理装置４１を用いて、どのドキュメントデータに対して、どのような操作を行ったか、といった過去に行った作業の内容を確認することができる。
【００５７】
なお、出力手段５８が対象とするドキュメントデータ或いは電子ペーパカードＥＰの特定方法は、ユーザインタフェース５５から指示させて特定する他に、電子ペーパプリンタ４２に装填された電子ペーパカードＥＰのＲＦＩＤから読み取ったＵＲＬ或いはＥＰＩＤを用いて特定するようにしてもよい。
【００５８】
また、出力手段５８は、画像ログ保持手段４３から取得した過去の表示用画像を、画像生成手段５７による新たな表示用画像の生成のために画像生成手段５７に電子データとして提供する機能を有しており、画像生成手段５７は当該過去の表示用画像の電子データを用いて新たな表示用画像を生成できる。
したがって、ユーザは電子ペーパを見て、処理対象のドキュメントデータから過去に生成された表示用画像や、処理対象の電子ペーパに過去に表示された表示用画像の内容を確認でき、表示用画像中に上述したような付加情報を含めることで作業内容の確認も行える。また、該当する過去の表示用画像を一覧表示させることで、ドキュメントデータを用いて行った作業の経緯や、電子ペーパを用いて行った作業の経緯を、電子ペーパを見て把握できるようになる。
【００５９】
図８には電子ペーパカードＥＰの表示部２に書き込まれる表示用画像Ｇの一例が示してある。この新たな表示用画像Ｇは過去の表示用画像を用いて生成されており、同図（ａ）のように過去の表示用画像の縮小画像OLE_LINK4（過去）OLE_LINK4Ｌと現在のドキュメントデータから生成する縮小画像（現在）Ｄとを含めた構成や、同図（ｂ）のように過去の表示用画像の縮小画像（過去）Ｌと現在のドキュメントデータの状態（例えば、修正あり、消去済み）を示す状態画像Ｍとを含めた構成となっており、これら表示用画像Ｇの例が図９〜図１４に示してある。
【００６０】
図９に示す例では、現在のドキュメントデータに基づいて生成した縮小画像（現在）Ｄと、当該ドキュメントデータを最初にドキュメント管理サーバ４０に格納した際に生成した過去の表示用画像の縮小画像（過去）Ｌとを対比し、ドキュメントデータの状態を示すために縮小画像（現在）Ｄに「修正あり最新版」及び縮小画像（過去）Ｌに「登録版」を併記した状態画像Ｍを付加して表示用画像Ｇとし、電子ペーパカードＥＰの表示部２に表示している。
【００６１】
この表示用画像Ｇは画像生成手段５７により以下のようにして生成される。
特定手段５６によって電子ペーパカードＥＰのＲＦＩＤ３の記憶するＵＲＬからドキュメントデータが特定されると、画像生成手段５７は、ドキュメント管理サーバ４０の保持する該当するドキュメントデータの属性情報から修正日時を取得し、画像ログ保持手段４３から該当する表示用画像の最新の生成日時を取得し、修正日時と最新の生成日時とを比較する。
【００６２】
最新の生成日時の方が新しい場合は、表示用画像を前回生成した後にドキュメントデータが修正されていないため、出力手段５８から提供された前回の表示用画像（生成日時が最も新しい表示用画像）を表示用画像Ｇとして電子ペーパカードＥＰの表示部２に表示させる。
【００６３】
修正日時の方が新しい場合は、表示用画像を前回生成した後にドキュメントデータが修正されているため、当該ドキュメントデータに基づいて縮小画像（現在）Ｄを生成し、出力手段５８から提供された生成日時が最も古い表示用画像から縮小画像（過去）Ｌを生成し、修正されたことを説明する状態画像Ｍを生成し、これらを組み合わせて表示用画像Ｇとして電子ペーパカードＥＰの表示部２に表示させ、また、当該表示用画像Ｇを画像ログ保持手段４３に蓄積保持させる。
【００６４】
これにより、ユーザは電子ペーパを見てドキュメントデータが修正されたことを把握できる。また、表示用画像を前回生成した後にドキュメントデータが修正されていない場合は、前回の表示用画像を電子ペーパカードＥＰに表示させるため、画像生成の手間が省けて効率的である。
【００６５】
なお、本例では、生成日時が最も古い表示用画像の縮小画像を用いているが、生成日時が最も新しい表示用画像（すなわち、前回の表示用画像）の縮小画像を用いてもよい。また、本例では、過去の縮小画像を１枚だけ用いているが、図１０に示すように複数枚用いてもよい。
【００６６】
図１０には、図９に示した縮小画像（現在）Ｄと縮小画像（過去）Ｌとを対比表示する表示用画像Ｇの他の例が示してある。同図によると、例えば情報処理装置（ＭＦ）４１にてスキャン入力されたドキュメント画像を、電子ペーパカードＥＰのＲＦＩＤ３に記憶されたＵＲＬのドキュメントデータにマージして作成される電子スクラップドキュメントにおいて、今回マージしたドキュメント画像の縮小画像（現在）Ｄと、前回及び前々回マージしたドキュメント画像の縮小画像（過去）Ｌと、ドキュメントデータの修正過程を説明する「最新」「前回」「前々回」の状態画像Ｍとを含む表示用画像Ｇを電子ペーパカードＥＰの表示部２に表示している。
同図の表示用画像Ｇの画像生成手段５７による生成処理は、図９の場合と同様なため割愛する。このように、過去の表示用画像の縮小画像（過去）Ｌを複数枚用いて表示用画像Ｇを生成したため、ユーザはドキュメントデータの修正過程を確認できる。
【００６７】
図１１に示す例では、「表示．ｄｏｃ」「本文．ｐｐｔ」「データ．ｘｌｓ」といった形式の異なる複数のドキュメントデータを結合した結合ドキュメントにおいて「データ．ｘｌｓ」のみが修正されており、修正された「データ．ｘｌｓ」に基づいて生成した縮小画像（現在）Ｄと、「表示．ｄｏｃ」「本文．ｐｐｔ」のそれぞれについて前回生成した表示用画像の縮小画像（過去）Ｌと、これらを説明する状態画像Ｍとを含む表示用画像Ｇを電子ペーパカードＥＰの表示部２に表示している。
【００６８】
この表示用画像Ｇは画像生成手段５７により以下のようにして生成される。
特定手段５６によってドキュメントデータが特定されると、画像生成手段５７は、「表示．ｄｏｃ」「本文．ｐｐｔ」「データ．ｘｌｓ」のそれぞれのドキュメントデータについて、ドキュメント管理サーバ４０の保持する該当するドキュメントデータの属性情報から修正日時を取得し、画像ログ保持手段４３から該当する表示用画像の最新の生成日時を取得し、修正日時と最新の生成日時とを比較する。
【００６９】
「表示．ｄｏｃ」「本文．ｐｐｔ」は、最新の生成日時の方が新しいためドキュメントデータが修正されておらず、出力手段５８から提供された前回の表示用画像から縮小画像（過去）Ｌを生成する。「データ．ｘｌｓ」は、修正日時の方が新しいためドキュメントデータが修正されており、当該ドキュメントデータに基づいて縮小画像（現在）Ｄを生成する。そして、ドキュメント管理サーバ４０の保持する該当するドキュメントデータの属性情報からそれぞれの名称を取得して状態画像Ｍを生成し、これらを組み合わせて表示用画像Ｇとして電子ペーパカードＥＰの表示部２に表示させ、また、当該表示用画像Ｇを画像ログ保持手段４３に蓄積保持させる。
【００７０】
これにより、複数のドキュメントデータを結合した結合ドキュメントの表示用画像Ｇを、修正されたドキュメントデータのみ縮小画像（現在）Ｄを生成し、修正されていないドキュメントデータは前回の表示用画像を用いて縮小画像（過去）Ｌとするため、表示用画像Ｇの生成時間を短縮できる。
【００７１】
図１２に示す例では、ドキュメントデータの縮小画像（過去）Ｌと、当該ドキュメントデータを印刷できる残印刷回数を示す状態画像Ｍを含めた表示用画像Ｇを電子ペーパカードＥＰの表示部２に表示している。
この残印刷回数は、ドキュメントデータに付加された属性情報に記録してあり、情報処理装置（ＭＦ）４１による当該ドキュメントデータの印刷出力毎に減ぜられて、残印刷回数が０になった後は印刷できないように情報処理装置（ＭＦ）４１によって制御される。
【００７２】
この表示用画像Ｇは画像生成手段５７により以下のようにして生成される。
特定手段５６によってドキュメントデータが特定されると、画像生成手段５７は、ドキュメント管理サーバ４０の保持する該当するドキュメントデータの属性情報から修正日時を取得し、画像ログ保持手段４３から該当する表示用画像の最新の生成日時を取得し、修正日時と最新の生成日時とを比較する。
【００７３】
最新の生成日時の方が新しい場合は、表示用画像を前回生成した後にドキュメントデータが修正されていないため、出力手段５８から提供された前回の表示用画像から縮小画像（過去）Ｌを生成する。修正日時の方が新しい場合は、表示用画像を前回生成した後にドキュメントデータが修正されているため、当該ドキュメントデータに基づいて新たに縮小画像（現在）Ｄを生成する。そして、ドキュメントデータの属性情報から残印刷回数を取得して状態画像Ｍを生成し、縮小画像（過去）Ｌ又は縮小画像（現在）Ｄと組み合わせて表示用画像Ｇとして電子ペーパカードＥＰの表示部２に表示させ、また、当該表示用画像Ｇを画像ログ保持手段４３に蓄積保持させる。
これにより、ドキュメントデータが修正されていない場合は、過去の表示用画像の縮小画像（過去）Ｌを用いるため、表示用画像Ｇの生成時間を短縮できる。
【００７４】
図１３に示す例では、ドキュメントデータの縮小画像（過去）Ｌと、当該ドキュメントデータを情報処理装置４１に取り出しできる期限を示す状態画像Ｍを含めた表示用画像Ｇを電子ペーパカードＥＰの表示部２に表示している。
この取り出し期限は、キュメントデータに付加された属性情報に記録してあり、期限を過ぎると取り出しできないようにドキュメント管理サーバ４０によって制御される。
同図の表示用画像Ｇの画像生成手段５７による生成処理は、図１２の場合と同様なため割愛する。
【００７５】
図１４に示す例では、ドキュメントデータの縮小画像（過去）Ｌと、当該ドキュメントデータが印刷出力されてドキュメント管理サーバ４０から消去されたことを示す「Ｐｒｉｎｔ終了」「サーバ消去済み」の状態画像Ｍを含めた表示用画像Ｇを電子ペーパカードＥＰの表示部２に表示している。
【００７６】
この表示用画像Ｇは画像生成手段５７により以下のようにして生成される。
特定手段５６によって電子ペーパカードＥＰのＲＦＩＤ３の記憶するＵＲＬからドキュメントデータが特定されると、画像生成手段５７は、まず、ドキュメント管理サーバ４０がＵＲＬに該当するドキュメントデータを保持しているか否かを判断する。本例では、該当するドキュメントデータが既に消去されて保持していないため、出力手段５８から提供された前回の表示用画像から縮小画像（過去）Ｌを生成し、消去されたことを示す状態画像Ｍを生成し、これらを組み合わせて表示用画像Ｇとして電子ペーパカードＥＰの表示部２に表示させ、また、当該表示用画像Ｇを画像ログ保持手段４３に蓄積保持させる。
【００７７】
これにより、例えば、複数の電子ペーパに対応付けられた共有ドキュメントデータを、或る電子ペーパＡを用いてアクセスして消去された場合であっても、他の電子ペーパＢを用いてアクセスしようとしたときに、電子ペーパＡに表示させた表示用画像を用いて生成した画像を電子ペーパＢに表示させるため、電子ペーパＢを見てドキュメントデータが既に消去されていること把握できるとともに、既に消去済みであるドキュメントデータの概要をも把握できる。
【図面の簡単な説明】
【００７８】
【図１】本発明の一実施例に係る電子ペーパシステムの構成図である。
【図２】本発明の他の一実施例に係る電子ペーパシステムの構成図である。
【図３】本発明の更に他の一実施例に係る電子ペーパシステムの構成図である。
【図４】本発明に係る情報処理装置及び電子ペーパプリンタの機能構成の一例を示す図である。
【図５】本発明に係る電子ペーパの保持内容を説明する図である。
【図６】本発明に係る画像ログデータの項目を説明する図である。
【図７】本発明に係るドキュメントデータと画像生成ログと画像表示ログとの関係を説明する図である。
【図８】本発明に係る表示用画像を説明する図である。
【図９】本発明に係る表示用画像の例を説明する図である。
【図１０】本発明に係る表示用画像の例を説明する図である。
【図１１】本発明に係る表示用画像の例を説明する図である。
【図１２】本発明に係る表示用画像の例を説明する図である。
【図１３】本発明に係る表示用画像の例を説明する図である。
【図１４】本発明に係る表示用画像の例を説明する図である。
【図１５】外部書き込み型電子ペーパの一例を示す図である。
【図１６】外部書き込み型電子ペーパの使用方法を説明する図である。
【図１７】外部書き込み型電子ペーパの動作原理を説明する図である。
【図１８】外部書き込み型電子ペーパの構造を説明する図である。
【図１９】自己書き込み型電子ペーパの一例を示す図である。
【図２０】自己書き込み型電子ペーパの動作原理を説明する図である。
【図２１】自己書き込み型電子ペーパの構造を説明する図である。
【符号の説明】
【００７９】
２、２２：表示部、  ３、２３：処理部（ＲＦＩＤ）、
４０：ドキュメント管理サーバ、  ４１：情報処理装置、
４２：電子ペーパプリンタ、  ４３：画像ログ保持手段、
５６：特定手段、  ５７：画像生成手段、
５８：出力手段、  ６２：書込手段、
Ｇ：表示用画像、  Ｄ：最新ドキュメントの縮小画像、
Ｌ：過去ドキュメントの縮小画像、  Ｍ：メッセージ画像、
ＥＰ：電子ペーパ
【図１】
2007192862.tif 000003
【図２】
2007192862.tif 000004
【図３】
2007192862.tif 000005
【図４】
2007192862.tif 000006
【図５】
2007192862.tif 000007
【図６】
2007192862.tif 000008
【図７】
2007192862.tif 000009
【図８】
2007192862.tif 000010
【図９】
2007192862.tif 000011
【図１０】
2007192862.tif 000012
【図１１】
2007192862.tif 000013
【図１２】
2007192862.tif 000014
【図１３】
2007192862.tif 000015
【図１４】
2007192862.tif 000016
【図１５】
2007192862.tif 000017
【図１６】
2007192862.tif 000018
【図１７】
2007192862.tif 000019
【図１８】
2007192862.tif 000020
【図１９】
2007192862.tif 000021
【図２０】
2007192862.tif 000022
【図２１】
2007192862.tif 000023